(57)【要約】【課題】操作スイッチの数を低減して、高齢者向きのデザインに対応可能とし、且つ原価低減を図ることを目的とする。【解決手段】室内を加湿する加湿手段５と、目標とする湿度を設定する湿度設定機能２ａと、複数の運転モードを切換えるモード切換機能２ｂと、全ての動作を制御する演算手段７とを備えた加湿器において、前記湿度設定機能２ａと前記モード切換機能２ｂを一つの操作手段２に合わせ持つ。【選択図】　図１
2004132632.tif 000002
【特許請求の範囲】
【請求項１】
室内を加湿する加湿手段（５）と、目標とする湿度を設定する湿度設定機能（２ａ）と、複数の運転モードを切換えるモード切換機能（２ｂ）と、全ての動作を制御する演算手段（７）とを備えた加湿器において、
前記湿度設定機能（２ａ）と前記モード切換機能（２ｂ）を一つの操作手段（２）に合わせ持つことを特徴とする加湿器。
【請求項２】
前記演算手段（７）は、前記操作手段（２）の連続押しが所定の時間以上の時には設定湿度を変更する状態に移行し、所定の時間未満の時には運転モードを切換える状態に移行することを特徴とする請求項１記載の加湿器。
【発明の詳細な説明】
【０００１】
【発明の属する技術分野】
本発明は、室内の湿度に応じて加湿制御を行う加湿器の操作手段に関するものである。
【０００２】
【従来の技術】
従来の加湿器を図面に従って説明する。図３は従来の加湿器の構成ブロック図である。
【０００３】
図において、加湿器の運転を入り切りする運転入／切手段１と、目標とする湿度を設定する湿度設定手段１０と、複数の運転モードを切換えるモード切換手段１１と、運転停止時間を設定する切タイマー手段３とで操作部が構成されている。これら四つの手段はそれぞれ一つのスイッチで形成されている。
【０００４】
湿度設定手段１０は４０％、５０％、６０％の三段階の湿度の設定が可能であり、モード切換手段１１は自動、強、弱の三つの運転モードの切換が可能である。
【０００５】
湿度検出手段４は室内の現在湿度を検出し、表示手段６は湿度検出手段４で検出する現在湿度と湿度設定手段１０で設定される設定湿度を表示し、加湿手段５は室内を加湿する。演算手段７はマイクロコンピュータ等で形成され、前記全手段の動作を制御する。尚、演算手段７は、その内部に、運転モードの初期値として自動のモードを記憶し、設定湿度の初期値として５０％を記憶している。
【０００６】
以上の構成において、全体の動作を説明する。
加湿器に電源（図示せず）が供給され、運転入／切手段１が押されると、運転信号が運転入／切手段１から演算手段７に入力される。運転信号が入力されると、演算手段７は運転モードを初期値として記憶している自動とし、設定湿度を初期値として記憶している５０％とし、湿度検出手段４で検出した現在湿度を表示手段６に点灯表示する、と共に現在湿度と設定湿度との差を算出し、その差により加湿手段５を動作させるか否かを決定する。
【０００７】
以後、演算手段７は湿度検出手段４で現在湿度を逐次検出し、現在湿度と設定湿度が同じになるように加湿手段５を制御する。つまり、演算手段７は現在湿度が設定湿度より低い時には加湿手段５を動作させて室内を加湿し、現在湿度が設定湿度以上に高くなった時には加湿手段５の動作を停止する。
【０００８】
上記動作中において、設定湿度を変更する場合は、湿度設定手段１０を押す操作を行う。湿度設定手段１０を一回押す毎に表示手段６に表示される設定湿度の表示が５０％→６０％→４０％→５０％…と変化し、この変化が繰り返されるので、希望の湿度になったところで操作を停止する。
【０００９】
また、動作中において、運転モードを切換える場合は、モード切換手段１１を押す操作を行う。モード切換手段１１を一回押す毎に運転モードが自動→強→弱→自動…と変化し、この変化が繰り返されるので、希望の運転モードになったところで操作を停止する。
【００１０】
このような従来例に類似した例として、特許文献１、特許文献２に示す例等がある。
【００１１】
【特許文献１】特開２００２−８１７１７号公報
【特許文献２】特開２０００−３５６３９０号公報。
【００１２】
【発明が解決しようとする課題】
前述したように、従来の加湿器は、操作部に湿度設定手段１０と、モード切換手段１１と、運転入／切手段１と、切タイマー手段３の四つの操作スイッチが必須である。
【００１３】
近年、高齢者時代を迎えて高齢者向きのデザインが望まれている。このためには操作部の各スイッチを大きなものとする必要がある。しかしながら、製品は小型化を目指す必要があるので、各スイッチが配される操作部の面積が小さくなることはあっても、大きくなることがないので、高齢者向きに各スイッチを大きくすることとは相反することになる。且つ、原価低減も図る必要があるという課題があった。
【００１４】
本発明は、前記課題を解決するものであり、操作手段すなわち操作スイッチの数を低減して、高齢者向きのデザインに対応可能とし、且つ原価低減を図ることを目的とする。
【００１５】
さらに、操作スイッチを低減した場合でも簡単に操作できることを目的とする。
【００１６】
【課題を解決するための手段】
本発明は、上述の課題を解決するために、室内を加湿する加湿手段と、目標とする湿度を設定する湿度設定機能と、複数の運転モードを切換えるモード切換機能と、全ての動作を制御する演算手段とを備えた加湿器において、前記湿度設定機能と前記モード切換機能を一つの操作手段に合わせ持つものである。
【００１７】
【発明の実施の形態】
本発明は、前述のように、室内を加湿する加湿手段と、目標とする湿度を設定する湿度設定機能と、複数の運転モードを切換えるモード切換機能と、全ての動作を制御する演算手段とを備えた加湿器において、前記湿度設定機能と前記モード切換機能を一つの操作手段に合わせ持つものである。
【００１８】
これによって、操作スイッチの数を低減して、高齢者向きのデザインに対応可能とし、且つ原価低減を図ることができる。
【００１９】
さらに、前記演算手段は、前記操作手段の連続押しが所定の時間以上の時には設定湿度を変更する状態に移行し、所定の時間未満の時には運転モードを切換える状態に移行するものである。
【００２０】
これによって、操作スイッチを低減した場合でも簡単に操作できる。
【００２１】
【実施例】
以下、本発明の一実施例を図面に従って説明する。図１は本発明の一実施例の構成ブロック図で、図２は本発明の一実施例の概略外観図である。
【００２２】
図において、１は運転入／切手段で、一つのスイッチで形成され、加湿器の運転を入り切りする。
【００２３】
２は操作手段で、一つのスイッチで形成され、目標とする湿度を設定する湿度設定機能２ａと、複数の運転モードを切換えるモード切換機能２ｂとを合わせ持つ。湿度設定機能２ａは４０％、５０％、６０％の三段階の湿度の設定が可能であり、モード切換機能２ｂは自動、強、弱の三つの運転モードの切換が可能である。
【００２４】
３は切タイマー手段で、一つのスイッチで形成され、ある任意の時間例えば２時間または４時間運転した後、運転を停止する機能において、前記任意の時間すなわち運転停止時間を設定する。４は湿度検出手段で、室内の現在湿度を検出する。
【００２５】
５は加湿手段で、室内を加湿する。６は表示手段で、湿度検出手段４で検出する現在湿度と操作手段２で設定される設定湿度を表示する。現在湿度の表示は３０％、４０％、５０％、６０％、７０％の何れかが点灯表示される。
【００２６】
７は演算手段で、マイクロコンピュータ等で形成され、全ての動作を制御する。演算手段７は、前記操作手段２の連続押しが所定の時間以上の時には設定湿度を変更する状態に移行し、所定の時間未満の時には運転モードを切換える状態に移行する。また、演算手段７は、その内部に、運転モードの初期値として自動のモードを記憶し、設定湿度の初期値として５０％を記憶している。
【００２７】
８は加湿器の本体である。９は吹出口で、加湿された空気が吹出される。
【００２８】
以上の構成において、全体の動作を説明する。
加湿器に電源（図示せず）が供給され、運転入／切手段１が押されると、運転信号が運転入／切手段１から演算手段７に入力される。運転信号が入力されると、演算手段７は運転モードを初期値として記憶している自動とし、設定湿度を初期値として記憶している５０％とし、湿度検出手段４で検出した現在湿度を表示手段６に点灯表示する、と共に現在湿度と設定湿度との差を算出し、その差により加湿手段５を動作させるか否かを決定する。
【００２９】
以後、演算手段７は湿度検出手段４で現在湿度を逐次検出し、現在湿度と設定湿度が同じになるように加湿手段５を制御する。つまり、演算手段７は現在湿度が設定湿度より低い時には加湿手段５を動作させて室内を加湿し、現在湿度が設定湿度以上に高くなった時には加湿手段５の動作を停止する。但し、運転モードが強または弱の場合には、演算手段７は湿度検出手段の検出する現在湿度や設定湿度には無関係に加湿手段５を動作させる。
【００３０】
上記動作中において、設定湿度を変更する場合と運転モードを切換える場合の操作方法を説明する。尚、所定の時間は３秒とする。
【００３１】
先ず、設定湿度を変更する場合の操作方法を説明する。
≪１≫操作手段２を３秒間以上連続押しする。但し、３秒未満に連続押しを中止した時は後記運転モード切換の状態に移行する。
≪２≫設定されている設定湿度が表示手段６に点滅表示される。現在湿度の表示は消灯される。
≪３≫操作手段２を押して設定湿度を変化させる。操作手段２を一回押す毎に表示手段６に表示される設定湿度の表示が５０％→６０％→４０％→５０％…と変化し、この変化が繰り返される。この時、設定湿度は点滅表示する。
≪４≫前≪３≫項において、操作手段２が３秒間連続して押されなかった時、設定湿度が確定され、設定湿度が変更される。
≪５≫表示手段６に表示されていた設定湿度が現在湿度に戻り点灯表示される。
【００３２】
以後、演算手段７は湿度検出手段４で現在湿度を逐次検出し、現在湿度と設定湿度が同じになるように加湿手段５を制御する。尚、設定湿度の変更は運転モードが自動のモードの時のみ可能である。
【００３３】
次に、運転モードを切換える場合の操作方法を説明する。
≪６≫操作手段２を押し、３秒未満で中止する。すると、運転モードは強となる。上記したように、３秒以上連続押しされた時は設定湿度を変更する状態となる。
≪７≫操作手段２を押すと運転モードは弱となり、操作手段２を離すとそのまま弱の運転モードで運転される。
≪８≫操作手段２を押すと運転モードは自動となり、操作手段２を離すとそのまま自動の運転モードで運転され、この運転モードの切換前の状態に戻る。
【００３４】
以上述べたように、湿度設定機能２ａとモード切換機能２ｂを一つの操作手段２に合わせ持つことが可能で、これにより操作スイッチを一つ低減できる。
【００３５】
上記説明においては、動作中に設定湿度を変更する状態か又は運転モードを切換える状態かを判別する操作手段２の連続押し時間すなわち所定の時間を３秒としたが、他の時間、例えば１秒から１０秒程度の時間としてもよい。
【００３６】
【発明の効果】
以上述べたように、本発明の加湿器によれば、室内を加湿する加湿手段と、目標とする湿度を設定する湿度設定機能と、複数の運転モードを切換えるモード切換機能と、全ての動作を制御する演算手段とを備えた加湿器において、前記湿度設定機能と前記モード切換機能を一つの操作手段に合わせ持つものである。
【００３７】
これによって、操作スイッチの数を低減して、高齢者向きのデザインに対応可能とし、且つ原価低減を図ることができるという効果を奏する。
【００３８】
さらに、前記演算手段は、前記操作手段の連続押しが所定の時間以上の時には設定湿度を変更する状態に移行し、所定の時間未満の時には運転モードを切換える状態に移行するものである。
【００３９】
これによって、操作スイッチを低減した場合でも簡単に操作できるという効果を奏する。
【図面の簡単な説明】
【図１】本発明の一実施例の構成ブロック図である。
【図２】本発明の一実施例の概略外観図である。
【図３】従来の加湿器の構成ブロック図である。
【符号の説明】
２　操作手段
２ａ　湿度設定機能
２ｂ　モード切換機能
５　加湿手段
７　演算手段
【図１】
2004132632.tif 000003
【図２】
2004132632.tif 000004
【図３】
2004132632.tif 000005